【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
柔軟な材料からなる支持部材（１０１）を備える侵襲的使用のための装置（１００）であって、
ａ．支持部材（１０１）は、導電ライン又はパターン（１１７）の少なくとも１つの層を有し、
ｂ．支持部材（１０１）は、少なくとも部分的に細長い管状に形成され、支持部材（１０１）の内部は、少なくとも部分的に支持部材（１０１）の外部から密閉され、
ｃ．少なくとも１つの導電ライン又はパターン（１１７）は、管状の支持部材（１０１）の外部から少なくとも部分的に密閉されており、
ｄ．支持部材（１０１）は、少なくとも１つの感応、刺激、及び／又は処理部材（１１１，１１３，２００，２０１）を備える
ことを特徴とする侵襲的使用のための装置（１００）。
【請求項２】
支持部材（１０１）は、粘着剤又はポリマ（６０１）のような柔軟な弾性素材を用いて、少なくとも部分的に充填される
ことを特徴とする請求項１に記載の侵襲的使用のための装置（１００）。
【請求項３】
支持部材（１０１）は、粘着剤又はポリマ（６０１）のような柔軟な弾性素材を用いて、完全に充填される
ことを特徴とする請求項１に記載の侵襲的使用のための装置（１００）。
【請求項４】
支持部材（１０１）の内部は、支持部材（１０１）の外部から完全に密閉される
ことを特徴とする請求項１に記載の侵襲的使用のための装置（１００）。
【請求項５】
侵襲的使用のための装置（１００）は、器官の機能を監視し又は該機能に作用するために、外科的侵襲によって、体内に一時的に配置されて適用される
ことを特徴とする請求項１に記載の侵襲的使用のための装置（１００）。
【請求項６】
侵襲的使用のための装置（１００）は、心臓の機能を監視し又はその機能に作用するために、外科的侵襲によって、体内に一時的に配置されて適用される
ことを特徴とする請求項５に記載の侵襲的使用のための装置（１００）。
【請求項７】
支持部材（１０１）の隣接した端部は、少なくとも部分的に溶接によって接合される
ことを特徴とする請求項１に記載の侵襲的使用のための装置（１００）。
【請求項８】
支持部材（１０１）の隣接した端部は、粘着剤によって、少なくとも部分的に接合される
ことを特徴とする請求項１に記載の侵襲的使用のための装置（１００）。
【請求項９】
少なくとも１つの感応、刺激及び／又は処理部材は、少なくとも部分的に管状の支持部材（１０１）の内部に備えられる少なくとも１つのコンポーネント電子部品又は微小電気機械システム（２００）を含む
ことを特徴とする請求項１に記載の侵襲的使用のための装置（１００）。
【請求項１０】
支持部材（１０１）は、少なくとも１つの開口（１１５）を有し、少なくとも１つの感応、刺激及び／又は処理部材（２００，２０１）の少なくとも１つが上記少なくとも１つの開口に配置される
ことを特徴とする請求項１に記載の侵襲的使用のための装置（１００）。
【請求項１１】
少なくとも１つのコンポーネント電子部品又は微小電気機械システム（２００，２０１）は、圧力センサ、電圧センサ、ｐＨセンサ、温度センサ、ガスセンサ、試薬を検知し又は計量するためのコンポーネント、及び薬物送達装置の中から選択される
ことを特徴とする請求項９に記載の侵襲的使用のための装置（１００）。
【請求項１２】
少なくとも１つの電極（１１１，１１３）が、少なくとも部分的に管状の支持部材（１０１）の外部に配置される
ことを特徴とする請求項１に記載の侵襲的使用のための装置（１００）。
【請求項１３】
少なくとも１つの電極（１１１，１１３）が、少なくとも部分的に管状の支持部材（１０１）の内部に配置される
ことを特徴とする請求項１に記載の侵襲的使用のための装置（１００）。
【請求項１４】
少なくとも４つの電極（１１１，１１３）が備えられ、上記少なくとも４つの電極は容積センサを構成する
ことを特徴とする請求項１２又は１３に記載の侵襲的使用のための装置（１００）。
【請求項１５】
支持部材（１０１）の内部に、少なくとも１つの強化又は硬化部材（１０３）が備えられる
ことを特徴とする請求項１に記載の侵襲的使用のための装置（１００）。
【請求項１６】
少なくとも１つの強化又は硬化部材（１０３）は、支持部材（１０１）の一端又は両端を超えて伸びる
ことを特徴とする請求項１５に記載の侵襲的使用のための装置（１００）。
【請求項１７】
少なくとも１つの強化又は硬化部材（１０３）は、光ファイバ又は導波管（１２９）を含む
ことを特徴とする請求項１５又は１６に記載の侵襲的使用のための装置（１００）。
【請求項１８】
支持部材（１０１）の内部に、少なくとも１つの光ファイバ又は導波管（１２９）が備えられる
ことを特徴とする請求項９又は１１に記載の侵襲的使用のための装置（１００）。
【請求項１９】
少なくとも１つのコンポーネント電子部品又は微小電気機械システム（２００，２０１）が、支持部材（１０１）の前端部（１０７）に隣接して、かつ、少なくとも１つの導電ライン若しくはパターン（１１７）又は上記少なくとも１つの光ファイバ若しくは導波管（１２９）と作動可能に接触して、配置される
ことを特徴とする請求項９、１１又は１８に記載の侵襲的使用のための装置（１００）。
【請求項２０】
弾力性物質を含む支持部材（１０１）を備えるステップと、
少なくとも１つの、少なくとも部分的に円錐又はじょうご状のホール（６０９，６１１）を含むツール又は治具（６００）を備えるステップとを含む侵襲的使用のための装置（１００）を製造するための方法であって、
該ツール又は治具（６００）は、更に、
粘着性物質（６０１）を液体状態に保持又は変化させるための入り口手段（６０３）と、
粘着性物質（６０１）を固化するための出口手段（６０７）とを含み、
上記方法は、更に、
ホール（６０９，６１１）を通して支持部材（１０１）を送り出し、それによって、少なくとも部分的に支持部材（１０１）を管状に形成するステップと、
ツール又は治具（６００）のホール（６０９，６１１）を通じて送り出されるときに粘着性物質（６０１）を支持部材（１０１）に塗布するステップとを含み、それによって、上記粘着性物質（６０１）は、ツールのホール（６０９，６１１）を通じて送り出されるとき、継続的に固化し、
上記方法は、更に、
支持部材（１０１）を管状に保つために十分な粘着強度を有する粘着性物質（６０１）を選択するステップとを含む
ことを特徴とする侵襲的使用のための装置（１００）を製造するための方法。
【請求項２１】
更に、ツール又は治具（６００）のホール（６０９，６１１）を通じて支持部材（１０１）が送り出されるときに、支持部材（１０１）に粘着性物質（６０１）を充填するステップを含む
ことを特徴とする請求項２０に係る方法。
【請求項２２】
更に、粘着性物質（６０１）を用いて、支持部材（１０１）の少なくとも１つの隣接した端部に上記粘着性物質（６０１）を塗布することによって、支持部材（１０１）の隣接した端部を互いに少なくとも部分的に接合するステップを含む
ことを特徴とする請求項２０に係る方法。
【請求項２３】
更に、入り口手段（６０３）を用いて、ホール（６０９，６１１）の入り口領域を加熱し、それによって、粘着性物質（６０１）を加熱するステップと、
出口手段（６０７）を用いて、ホール（６０９，６１１）の出口領域を冷却し、それによって、粘着性物質（６０１）を固化する
ことを特徴とする請求項２０から２２のいずれかに係る方法。
【請求項２４】
弾力性物質（１０１）を含む支持部材を提供することを含む侵襲的使用のための装置（１００）を製造するための方法であって、
少なくとも１つの、少なくとも部分的に円錐又はじょうご状のホール（６０９，６１１）を含むツール又は治具（６００）を備えることと、
ホール（６０９，６１１）を通じて支持部材（１０１）を送り出し、それによって、少なくとも部分的に支持部材（１０１）を管状に形成することと、
支持部材（１０１）の隣接した端部を互いに溶接することとを含む
ことを特徴とする侵襲的使用のための装置（１００）を製造するための方法。